(57)【特許請求の範囲】
【請求項１】
中央部位で二つに折畳み可能な回動軸を備えた左右一対の支持ポールと、前記回動軸を支点とする支持ポールの動きを固定支持し、中央部から左右へ下降傾斜させた支持ポールの支持構造とするハンドル部と、支持ポールの両端に設けられ、両壁面とそれぞれ面接触し合う接触支持体とから成り、前記支持ポールに、その支持ポールの長さを調節する伸縮調節部を設けるようにしたことを特徴とする支持装置。
【請求項２】
断面山形状の左右一対の組付孔が設けられたポール結合部材と、ポール結合部材の左右の組付孔にそれぞれ挿脱自在に挿入支持され、そのポール結合部材によって中央部位から左右へ向かって下降傾斜する左右一対の支持ポールと、ポール結合部材から下降傾斜する左右の支持ポールの端部に装着され両壁面とそれぞれ面接触し合う接触支持体とから成り、前記支持ポールに、その支持ポールの長さを調節する伸縮調節部を備えていることを特徴とする支持装置。
【請求項３】
接触支持体は、コーナ壁面の両面とそれぞれ同時に接触可能なコーナ用接触支持体と交換可能であることを特徴とする請求項１又は２のいずれかに記載の支持装置。
【発明の詳細な説明】
【０００１】
【発明の属する技術分野】
この発明は、例えば、広い室内の壁と壁の間にかけ渡して使用するのに適する支持装置に関する。
【０００２】
【従来の技術】
一般に、例えば、室内等の壁面を利用して物を吊下げる際に一方の壁から他方の壁へ紐をかけわたすことで、その紐を吊下げ用として使用できるが、近年の賃貸住宅にあっては部屋の中に紐をかけるための釘を打つことができないものがある。
【０００３】
このために、例えば、壁と壁の間にかけ渡された竿のつっぱり力で支持する特開平１０−３２７９５７号公報に示す手段が公知となっている。
【０００４】
【発明が解決しようとする課題】
つっぱり力で棚板等を支持する前記手段は、両壁面を押圧する左右の押圧力で支持されているところから、例えば、押入れ、トイレ、洗面所等比較的壁と壁の間の距離が狭い場所にむいている。居間等のように壁と壁の間が広い場所では、棚板が長くなりすぎ支持剛性に無理が起きる。この場合、棚厚を厚くしたり、補強メンバー等を用いることで支持剛性の確保が可能となるが、コストアップ、重量アップにつながる。
【０００５】
また、使用しない時は全体が長くなり、保管場所に困る等の問題を有する。
【０００６】
そこで、この発明は、壁と壁の間が広い場所であっても、安定した確実な支持状態が得られると共に、保管場所にも優れ、しかも、コーナ壁面でも対応可能な支持装置を提供することを目的としている。
【０００７】
【課題を解決するための手段】
前記目的を達成するために、この発明の請求項１にあっては、中央部位で二つに折畳み可能な回動軸を備えた左右一対の支持ポールと、前記回動軸を支点とする支持ポールの動きを固定支持し、中央部から左右へ下降傾斜させた支持ポールの支持構造とするハンドル部と、支持ポールの両端に設けられ、両壁面とそれぞれ面接触し合う接触支持体とから成り、前記支持ポールに、その支持ポールの長さを調節する伸縮調節部を設けるようにしたことを特徴とする。
【０００８】
これにより、支持ポールは、中央部から両壁面へ向かって下降傾斜する山形状の支持状態で壁と壁の間にかけ渡される。したがって、支持ポールに働らく下向きの垂直荷重の一部は、分力となって接触支持体を壁面へ向けて強く押圧する押圧力として働らく結果、壁面と壁面の間が広くても安定した確実な支持状態が得られる。
【０００９】
一方、使用しない時には、支持ポールを二つに折畳むと共に、伸縮調節部によって支持ポールを最小に縮小させることでコンパクトに収納が行なえるようになる。
【００１０】
また、この発明の請求項２にあっては、断面山形状の左右一対の組付孔が設けられたポール結合部材と、ポール結合部材の左右の組付孔にそれぞれ挿脱自在に挿入支持され、そのポール結合部材によって中央部位から左右へ向かって下降傾斜する左右一対の支持ポールと、ポール結合部材から下降傾斜する左右の支持ポールの端部に装着され両壁面とそれぞれ面接触し合う接触支持体とから成り、前記支持ポールに、その支持ポールの長さを調節する伸縮調節部を備えていることを特徴とする。
【００１１】
これにより、支持ポールは、ポール結合部材から両壁面へ向かって下降傾斜する山形状の支持状態で壁と壁の間にかけ渡される。
【００１２】
したがって、支持ポールに働らく下向きの垂直荷重の一部は、分力となって接触支持体を壁面へ向けて強く押圧する押圧力として働らく結果、壁面と壁面の間が広くても安定した確実な支持状態が得られるようになる。
【００１３】
一方、使用しない時には、ポール結合部材から支持ポールを外すことで、左右の支持ポールとポール結合部材の三つに分けられるため、コンパクトな収納が可能となる。
【００１４】
また、この発明の請求項３にあっては、接触支持体を、コーナ壁面の両面とそれぞれ同時に接触可能なコーナ用の接触支持体と交換可能とすることを特徴とする。
【００１５】
これにより、接触支持体をコーナ用に交換することで、コーナ壁面での使用が可能となり、使用場所が増えるようになる。
【００１６】
【発明の実施の形態】
以下、図１乃至図８の図面を参照しながらこの発明の第１の実施形態について具体的に説明する。
【００１７】
図１は、例えば、６帖ぐらいの広さがある左右の壁面１にかけ渡して使用する支持装置３を示している。支持装置３は、回動軸５を備えた支持ポール７と、支持ポール７の両端に装着された接触支持体９と、支持ポール７の長さを調節する伸縮調節部１１とから成っている。
【００１８】
回動軸５は、ハンドル１３を有するねじ式となっていて、支持ポール７を二つに折畳む機能と回動軸５から左右へ下降傾斜させる機能とを備え、ハンドル１３の回転により、ねじ圧による締付力の調整が可能となっており、例えば締付力を弛めることで、支持ポール７は回動軸５を中心として回動し、壁１から壁１までの距離に対応し合う的確な角度の山形状の支持状態が得られるようになっている。
【００１９】
支持ポール７は、伸縮可能な内筒１５と外筒１７の二重構造となっていて、内筒１５と外筒１７の挿入領域において、図２に示すように自由にスライド移動が可能となっている。内筒１５と外筒１７は一杯に引き出された時に、内筒１５に設けられたストッパ１９が外筒１７に設けられた段差面２１と当接し合うことで抜け落ちることのない構造となっている。
【００２０】
伸縮調節部１１は、外筒１７との挿入領域となる内筒１５の外周面に雄ねじが設けられ、雄ねじには、外筒１７の挿入開口端面２３と当接し合うナット２５が螺合している。
【００２１】
したがって、接触支持体９が壁面１と接触し合う状態において、ナット２５を回動させて、図２矢印方向へ移動させることで、支持ポール７の伸縮調整が可能となる一方、ねじ山による軸線方向の微調節が行なえるようになっている。
【００２２】
接触支持体９は、壁面１と面接触し合う強い摩擦力を有する材質で作られた支持面２７と、取付部２９とを有している。取付部２９は、図３に示すように支持ポール７を構成する外筒１７の端部にボルト３１、ナット３３とによって着脱自在に装着され、ボルト３１、ナット３３を取外すことで、例えば、図４、図５、図６に示すようにコーナ壁面３５及びコーナ角部３７の両面とそれぞれ同時に接触し合うアタッチメントとして用意されたコーナ用の接触支持体３９と交換可能となっている。
【００２３】
このように構成された支持装置３を壁１と壁１の間にかけ渡すには、まず、水平状態に置いた支持ポール７の接触支持体９と接触支持体９を、壁１の壁面と壁面に接触させた後、回動軸５を支点として支持ポール７を持ち上げ、壁１と壁１の距離にあった角度に中折れさせる。この時、接触支持体９は壁１の壁面から離れるから、その離れた分、伸縮調節部１１によって支持ポール７を伸長させる。
次に、中折れ状態にある支持ポール７の一方の接触支持体９を壁１に接触させ、他方の接触支持体９をもう一方の壁１に接触させることで、図１に示すように中央部から両壁面１，１へ向かって下降傾斜する山形状の支持状態で壁１と壁１の間にかけ渡せる。最後にハンドル１３を操作して中折れ状態にある回転軸５を締付けることでセット完了となる。
【００２４】
この場合、接触支持体９は、支持ポール７の自重によって壁１の壁面と面接触し合うことで支持状態が確保されるため、壁面に対する支持装置３のセットが容易となる。
【００２５】
一方、支持ポール７が壁１と壁１の間にかけ渡された状態において、例えば、洗濯物を吊下げ時に支持ポール７に働らく下向きの垂直荷重Ｗの一部は、分力Ｆとなって接触支持体９を壁面へ向けて強く押圧する押圧力として働らく結果、壁面１と壁面１の間が広くても安定した確実な支持状態が得られるようになる。
【００２６】
また、図４に示すようにコーナ用の接触支持体３９と交換することで、例えば、コーナ壁面３５と、または、図５に示すようにコーナ角部３７と、または、図６に示すようにコーナ壁面３５及びコーナ角部３７を組合せた壁面に対して使用可能となり、垂直な壁面１以外での使用箇所が増えるようになる。
【００２７】
また、このように支持された支持ポール７を、例えば平行に配置することで、ハンモック等を支持する支持部材として使用することも可能となる。
【００２８】
あるいは、図７のように、平行に配置した支持ポール７の上に、アタッチメントとして用意された棚板４１の支脚部４３をセットすることで、棚板支持部材としての使用も可能となる。
【００２９】
この場合、棚板４１は面剛性の面からあまり長くないことが望ましい。長い場合には、棚板４１の中央部位を、山形状となる支持ポール７の中央で支持する形状とすることが望ましい。
【００３０】
一方、支持装置３を使用しない時は、図８に示すように二つに折畳み、さらに、支持ポール７を最小に縮小させることでコンパクトに収納が行なえる。
【００３１】
図９から図１１は分解タイプとした支持装置３の第２の実施形態を示したものである。
【００３２】
即ち、左右一対の組付孔４５が設けられたポール結合部材４７と左右の支持ポール７７とで分解タイプに構成するものである。
【００３３】
左右一対の組付孔４５，４５は挿入軸線が所定角度有することで、組付孔４５への支持ポール７の挿入時にポール結合部材４７から左右へ下降傾斜する挿入結合状態が確保されるようになっている。
【００３４】
なお、他の構成要素は第１の実施形態と同一のため同一符号を符して詳細な説明を省略する。
【００３５】
したがって、この第２の実施形態によれば、使用時にあっては第１の形態と同じであるが、使用しない時は、図１１に示すようにポール結合部材４７から取外すことで、左右の支持ポール７，７とポール結合部４７の三つに分解できるために、コンパクトに収納することが可能となる。
【００３６】
【発明の効果】
以上、説明したようにこの発明の請求項１によれば、壁面と壁面の間が広くても左右へ下降傾斜させた山形状の支持ポールによって壁面へ向かう押圧力により安定した確実な支持状態が得られると共に、使用しない時は、２つに折畳むことができるため、コンパクトに収納することが可能となる。
【００３７】
また、この発明の請求項２によれば、壁面と壁面の間が広くても、左右へ下降傾斜させた山形状の支持ポールによって壁面へ向かう押圧力により安定した確実な支持状態が得られると共に、使用しない時は、ポール結合部材、左右の支持ポールの三つに分解できるため、コンパクトに収納することが可能となる。
【００３８】
また、この発明の請求項３によれば、接触支持体をコーナ用に交換することで、１つの壁面に制約されることがなくなり、使用場所が増えるようになる。
【図面の簡単な説明】
【図１】この発明にかかる支持装置の使用状態を示した概要説明図。
【図２】支持ポールの伸縮調節部の概要切断説明図。
【図３】接触支持体の取付け状態と取外した状態を示す説明図。
【図４】別のコーナ用の接触支持体をコーナ壁面に実施した使用状態を示した説明図。
【図５】コーナ角部に実施した使用状態を示した説明図。
【図６】コーナ角部とコーナ壁面の組合せ壁面に実施した使用状態を示した説明図。
【図７】支持ポールに棚板を設けた使用状態を示す説明図。
【図８】二つに折畳んだ状態の説明図。
【図９】左右の支持ポールとポール結合部材とに分解できるようにした第２の実施形態を示す図１と同様の概要説明図。
【図１０】図９のポール結合部材から支持ポールを取外した概要説明図。
【図１１】左右の支持ポール、ポール結合部材の三つに分解した概要説明図。
【符号の説明】
１…壁面
５…回動軸
７…支持ポール
９…接触支持体
１１…伸縮調節部
４７…ポール結合部材
Ｗ…垂直荷重
Ｆ…押圧力
【図１】
0003720778.tif 000002
【図２】
0003720778.tif 000003
【図３】
0003720778.tif 000004
【図４】
0003720778.tif 000005
【図５】
0003720778.tif 000006
【図６】
0003720778.tif 000007
【図７】
0003720778.tif 000008
【図８】
0003720778.tif 000009
【図９】
0003720778.tif 000010
【図１０】
0003720778.tif 000011
【図１１】
0003720778.tif 000012